(57)【要約】【課題】避難所等で容易に組立可能で、強度の高い簡易ベッドルームを提供する。【解決手段】簡易ベッドルーム１は床板部材１０、天板部材２０、側板部材３０からなり、前後に２分割されたベッド本体２と、蓋部材４０とを備える。ベッド本体２は、内部に補強部材を収納した包装箱４の上に設置する。床板部材１０等の各部材は、材料として紙粉及び澱粉を５０％以上含有する断熱部材と、紙製のアングルで構成される。ベッド本体２は、前後に２分割されているので組立が容易であり、断熱部材とアングルの組み合わせにより結合強度が高い。使用終了後の廃棄処分は、紙として行うことができ、焼却の際にも焼却炉等への負担が小さい。【選択図】図８
0003225424.tif 000002
【実用新案登録請求の範囲】
【請求項１】
組み立て式の簡易ベッドルームであって、
床板部材、天板部材、及び一対の側板部材を備え、
前記床板部材、前記天板部材、及び前記側板部材は、長手方向に少なくとも２分割され、
前記床板部材は、所定の板厚を有する断熱部材からなる床板と、前記床板の側辺に沿って装着される断面がＬ字形の一対の床板アングルとを備え、前記床板の側辺と前記床板アングルの内面との間に床板側嵌合溝が形成され、
前記天板部材は、所定の板厚を有する断熱部材からなる天板と、前記天板の側辺に沿って装着される断面がＬ字形の一対の天板アングルとを備え、前記天板の側辺と前記天板アングルの内面との間に天板側嵌合溝が形成され、
前記側板部材は、所定の板厚を有する断熱部材で形成され、その下縁に前記床板側嵌合溝と嵌合する下側嵌合部を有し、その上縁に前記天板側嵌合溝と嵌合する上側嵌合部を有しており、
前記側板部材の前記下側嵌合部を前記床板側嵌合溝に嵌合させ、前記上側嵌合部を前記天板側嵌合溝に嵌合させて角筒状に組立可能であり、
角筒状に組み立てられた各部材を長手方向に連結させてベッド本体を組立可能であることを特徴とする簡易ベッドルーム。
【請求項２】
請求項１に記載の簡易ベッドルームであって、
前記床板側嵌合溝の幅が前記下側嵌合部の板厚よりも狭く、且つ前記下側嵌合部を圧入可能な幅であり、
前記天板側嵌合溝の幅が前記上側嵌合部の板厚よりも狭く、且つ前記上側嵌合部を圧入可能な幅であることを特徴とする簡易ベッドルーム。
【請求項３】
請求項１又は２に記載の簡易ベッドルームであって、
前記ベッド本体の開口部を塞ぐ蓋部材をさらに備え、
前記蓋部材は、前記開口部及び前記床板部材、前記天板部材、及び前記側板部材の長手方向の端面を覆う蓋本体と、前記開口部に嵌合可能な蓋嵌合部を有し、前記蓋本体及び前記蓋嵌合部の一部が前記ベッド本体に固定される固定部と、少なくとも前記開口部が１／２以上開放されるように屈曲可能に形成されている扉部を備えていることを特徴とする簡易ベッドルーム。
【請求項４】
請求項３に記載の簡易ベッドルームであって、
前記蓋部材は、前記固定部の側辺に沿って装着される断面がＬ字形の蓋アングルを備え、前記蓋本体の側辺と前記蓋アングルの内面との間に蓋嵌合溝が形成され、
前記蓋嵌合溝に前記床板部材、前記天板部材、及び前記側板部材を嵌合してなることを特徴とする簡易ベッドルーム。
【請求項５】
請求項１〜４のいずれか一項に記載の簡易ベッドルームであって、
前記断熱部材及び各アングルの原料は、質量の５０％以上が植物由来の原料であることを特徴とする簡易ベッドルーム。
【考案の詳細な説明】
【技術分野】
【０００１】
本考案は、避難所等に設置可能な簡易ベッドルームに関する。
【背景技術】
【０００２】
災害時の避難所においては、例えば体育館等に多くの人が避難する場合、プライベート空間の確保が望まれている。このような避難所におけるプライベート空間確保の手段として、例えば特許文献１に記載された断熱緩衝材付段ボール製寝床具が提案されている。
【０００３】
特許文献１に記載の寝床具は、人が横になることができる大きさの床板と、当該床板と同一形状の天板と、これらの床板及び天板と同一の長さを有する一対の側板とを備えている。これらの各部材は、段ボール板の表面に断熱緩衝材が貼り付けられている。
【０００４】
側板の上下縁には、段ボールを上下に延ばして差込部を設け、床板と天板の断熱緩衝材には、その差込部が差し込まれる切込みが形成されている。特許文献１に記載の寝床具は、側板の差込部を床板及び天板の切込みに差し込んで四角い筒状の空間を形成し、寝床具としている。
【先行技術文献】
【特許文献】
【０００５】
【特許文献１】実用新案登録第３２１９５２３号
【考案の概要】
【考案が解決しようとする課題】
【０００６】
特許文献１に記載の寝床具は、側板の上下縁の段ボール板を上下に伸ばして差込部としており、床板及び天板の断熱緩衝材に切込みを設けているため、側板の断熱緩衝材は寝床具の外面に位置することになり、寝床具の内面は段ボール板側の面となる。これでは、内部に入った人は、段ボール板に触れることになるため、緩衝材に比べて固く、冬季などは冷たく感じられて不快な状態となる。
【０００７】
また、差込部が段ボール板で、切込みが緩衝材となるため、両者の間の摩擦による保持力が弱く、中に入った人が動いて天板を押し上げた場合等は、側板の差込部が床板又は天板の切込みから外れるおそれがある。このような場合、ガムテープ等で補強することも考えられるが、避難所等では物資が乏しいためにガムテープ等が不足することも予想される。
【０００８】
さらに、特許文献１の寝床具においては、床板、天板、及び側板は、その長手方向の中央部で折り曲げた状態で包装されて搬送され、設置場所で折りたたまれた部材を広げて設置作業を行うが、仮に一人で設置作業を行う場合、広げた状態の各部材は人の身長以上の長さがあり、取り扱いが容易ではない。さらに、一度曲がった段ボール板は、作業中に作業者の意に反して折れ曲がることがあり、作業が難航するという不都合がある。
【０００９】
本考案は、避難所等に設置可能な簡易ベッドルームの改良を目的とし、さらに詳細には、組み立てられた際の強度を確保できる簡易ベッドルームを提供することを目的とする。さらに、本考案は、設置場所における組立が容易な簡易ベッドルームを提供することを目的とする。
【課題を解決するための手段】
【００１０】
上記目的を達成するために、本考案の簡易ベッドルームは、組み立て式の簡易ベッドルームであって、床板部材、天板部材、及び一対の側板部材を備え、前記床板部材、前記天板部材、及び前記側板部材は、長手方向に少なくとも２分割され、前記床板部材は、所定の板厚を有する断熱部材からなる床板と、前記床板の側辺に沿って装着される断面がＬ字形の一対の床板アングルとを備え、前記床板の側辺と前記床板アングルの内面との間に床板側嵌合溝が形成され、前記天板部材は、所定の板厚を有する断熱部材からなる天板と、前記天板の側辺に沿って装着される断面がＬ字形の一対の天板アングルとを備え、前記天板の側辺と前記天板アングルの内面との間に天板側嵌合溝が形成され、前記側板部材は、所定の板厚を有する断熱部材で形成され、その下縁に前記床板側嵌合溝と嵌合する下側嵌合部を有し、その上縁に前記天板側嵌合溝と嵌合する上側嵌合部を有しており、前記側板部材の前記下側嵌合部を前記床板側嵌合溝に嵌合させ、前記上側嵌合部を前記天板側嵌合溝に嵌合させて角筒状に組立可能であり、角筒状に組み立てられた各部材を長手方向に連結させてベッド本体を組立可能であることを特徴とする。
【００１１】
本考案の簡易ベッドルームは、床板部材の床板側嵌合溝に側板部材の下側嵌合部を嵌合させ、天板部材の天板側嵌合溝に側板部材の上側嵌合部を嵌合させて角筒状に組み立てる。当該構成によれば、角筒状の各部材の内面は断熱部材となるため、従来のように内面が段ボールとなることがない。
【００１２】
また、側板部材の下側嵌合部及び上側嵌合部は断熱部材であり、床板側嵌合溝のコ字状の内面の一面が断熱部材となり、同様に天板側嵌合溝の内面の一面が断熱部材となる。このため、各嵌合溝に各嵌合部が嵌合された際には、断熱部材同士が接触することになるため、従来の段ボールの場合に比べて摩擦力が高くなり、容易に抜けることがなく、ガムテープ等の補強も不要となる。
【００１３】
さらに、ベッド本体を形成する各部材は、長手方向に少なくとも２分割されているので、従来のものに比べて搬送や組立が容易となる。さらに、使用が終わって撤去する際の作業も容易となる。
【００１４】
本考案の簡易ベッドルームにおいては、前記床板側嵌合溝の幅が前記下側嵌合部の板厚よりも狭く、且つ前記下側嵌合部を圧入可能な幅であり、前記天板側嵌合溝の幅が前記上側嵌合部の板厚よりも狭く、且つ前記上側嵌合部を圧入可能な幅であることがより好ましい。当該構成によれば、各嵌合溝と各嵌合部との摩擦力がさらに強くなり、結合強度が向上する。
【００１５】
また、本考案の簡易ベッドルームにおいては、前記ベッド本体の開口部を塞ぐ蓋部材をさらに備え、前記蓋部材は、前記開口部及び前記床板部材、前記天板部材、及び前記側板部材の長手方向の端面を覆う蓋本体と、前記開口部に嵌合可能な蓋嵌合部を有し、前記蓋本体及び前記蓋嵌合部の一部が前記ベッド本体に固定される固定部と、少なくとも前記開口部が１／２以上開放されるように屈曲可能に形成されている扉部を備えていることがより好ましい。
【００１６】
当該構成によれば、蓋嵌合部によって蓋本体をベッド本体に容易に取り付けることができる。また、扉部によって、ベッド本体からのユーザの出入りが容易となる。
【００１７】
また、本考案の簡易ベッドルームにおいては、前記蓋部材は、前記固定部の側辺に沿って装着される断面がＬ字形の蓋アングルを備え、前記蓋本体の側辺と前記蓋アングルの内面との間に蓋嵌合溝が形成され、前記蓋嵌合溝に前記床板部材、前記天板部材、及び前記側板部材を嵌合してなることがより好ましい。当該構成により、蓋部材のベッド本体への取付強度がさらに向上する。
【００１８】
また、本考案の簡易ベッドルームにおいて、前記断熱部材及び各アングルの原料は、質量の５０％以上が植物由来の原料であることがより好ましい。当該構成によれば、本考案の簡易ベッドルームの使用が終わった後、紙として廃棄することが可能となる。また、簡易ベッドルームの焼却の際に、燃焼カロリーを低くすることができるので、焼却炉への負荷を小さくすることができる。
【図面の簡単な説明】
【００１９】
【図１】本実施形態の簡易ベッドルームの組み立てた状態を示す説明図。
【図２】図１の簡易ベッドルームを分解した状態を示す説明図。
【図３】本実施形態の簡易ベッドルームの床板部材及び天板部材の構成を示す説明図。
【図４】本実施形態の簡易ベッドルームの側板部材を示す説明図。
【図５】本実施形態の簡易ベッドルームの蓋部材を示す説明図。
【図６】本実施形態の簡易ベッドルームの組立状態を示す説明図。
【図７】本実施形態の簡易ベッドルームのベッド本体の組立状態を示す説明図。
【図８】本実施形態の簡易ベッドルームの下方に梱包箱を配置した状態を示す説明図。
【考案を実施するための形態】
【００２０】
次に、本考案の簡易ベッドルームについて、図１乃至図８を参照して説明する。本実施形態の簡易ベッドルーム１は、図１に示すように、床板部材１０、天板部材２０、側板部材３０からなるベッド本体２と、ベッド本体２の長手方向の開口部３に設けられた蓋部材４０とを備えている。本実施形態においては、ベッド本体２は、前後に２分割された構成となっている。
【００２１】
図１及び図２に示すように、床板部材１０は、図においてその長手方向の左側を前方とすると、前方床板部材１１と後方床板部材１２を長手方向に組み合わせたものとなっている。同様に、天板部材２０は、前方天板部材２１と後方天板部材２２を長手方向に組み合わせたものとなる。また、側板部材３０は、前方側板部材３１と後方側板部材３２を長手方向に組み合わせたものとなる。蓋部材４０は、前方に設けられているものと後方に設けられているものは同一の構成を有している。
【００２２】
図３は、床板部材１０及び天板部材２０の構成を示しており、両部材は同一の構成となっている。床板部材１０は、所定の板厚（本実施形態では３０ｍｍ）を有する断熱部材で形成された床板１３と、床板１３の側辺に沿って装着された床板アングル１４で構成されている。床板アングル１４は、長手方向に直交する断面の形状がＬ字形となっている。
【００２３】
床板部材１０では、床板１３の側辺と床板アングル１４の内面との間に床板側嵌合溝１５が形成されている。この床板側嵌合溝１５の幅は、後述する側板部材３０の下側嵌合部３６の板厚よりも若干狭くなっており、且つ後述する下側嵌合部３６を圧入可能な幅となっている。
【００２４】
前方床板部材１１と後方床板部材１２とは、双方の床板１３の大きさは同一であるが、床板アングル１４の長さが異なっている。具体的には、前方床板部材１１は床板アングル１４が床板１３よりも長手方向の後方に突出しており、後方床板部材１２は床板アングル１４が床板１３よりも長手方向に短くなっている。
【００２５】
本実施形態においては、この断熱部材は、材料の全質量の５０％以上が、紙パウダー及び澱粉等の植物由来の原料となっている（株式会社環境経営総合研究所製：商品名アースリパブリック：登録商標）。また、床板アングル１４を含む各アングルは、紙製のアングルを用いている。即ち、床板部材１０を含む各部材は、材料の全質量の５０％以上が植物由来の原料となっている。本実施形態においては、以下の部材についても、断熱部材は上記原料の部材を用いており、アングルについても全て紙製となっている。
【００２６】
天板部材２０は、所定の板厚（本実施形態では３０ｍｍ）を有する断熱部材で形成された天板２３と、天板２３の側辺に沿って装着された天板アングル２４で構成されている。天板部材２０では、天板２３の側辺と天板アングル２４の内面との間に天板側嵌合溝２５が形成されている。この天板側嵌合溝２５の幅は、後述する側板部材３０の上側嵌合部３５の板厚よりも若干狭くなっており、且つ後述する上側嵌合部３５を圧入可能な幅となっている。
【００２７】
前方天板部材２１と後方天板部材２２とは、双方の天板２３の大きさは同一であるが、天板アングル２４の長さが異なっている。具体的には、前方天板部材２１は天板アングル２４が天板２３よりも後方に突出しており、後方天板部材２２は天板アングル２４が天板２３よりも短くなっている。
【００２８】
側板部材３０は、所定の板厚を有する２枚の断熱部材を組み合わせた構成となっている。具体的には、ベッド本体２を組み立てた際に外側に位置する側板本体３３と、内側に位置する側板補助材３４とを貼り合わせたものとなっている。本実施形態では、側板本体３３の板厚を３０ｍｍ、側板補助材３４の板厚を２０ｍｍとしている。
【００２９】
前方側板部材３１は、前端縁では側板本体３３と側板補助材３４の端縁を一致させているが、後端縁では側板補助材３４よりも側板本体３３が後方に突出している。後方側板部材３２は、これとは逆に、後端縁では側板本体３３と側板補助材３４の端縁が一致しており、前端縁では側板本体３３よりも側板補助材３４が前方に突出している。
【００３０】
また、前方側板部材３１の上縁は側板補助材３４よりも側板本体３３が突出しており、この突出した部分が上側嵌合部３５となっている。また、下縁も同様に、側板本体３３が側板補助材３４よりも下方に突出し、下側嵌合部３６となっている。後方側板部材３２も同様に、上端縁が上側嵌合部３５となっており、下端縁が下側嵌合部３６となっている。
【００３１】
蓋部材４０は、図１に示すように、ベッド本体２の前後の開口部３を塞ぐ部材であって、床板部材１０、天板部材２０及び側板部材３０の長手方向の端面を覆う蓋本体４１と、開口部３に嵌合可能な蓋嵌合部４２を有している。蓋本体４１は、板厚が３０ｍｍの断熱部材で形成され、蓋嵌合部４２は、板厚が２０ｍｍの断熱部材で形成されている。
【００３２】
また、図５に示すように、
蓋部材４０は、ベッド本体２に固定される固定部４３と、固定部４３に対して回動可能な扉部４４を備えている。固定部４３と扉部４４の境界部分は、蓋嵌合部４２が２つに分かれており、その境界部分の蓋本体４１が屈曲可能であり、当該屈曲変形により扉部４４の開閉が可能となる。扉部４４は、開口部３を１／２以上開放するような大きさとなっている。また、蓋部材４０には、固定部４３の３辺に蓋アングル４５が装着されており、蓋本体４１の３つの側辺と蓋アングル４５の内面との間に蓋嵌合溝４６が設けられている。
【００３３】
次に、本実施形態の簡易ベッドルーム１の組立方法について説明する。本実施形態の簡易ベッドルーム１は、各部材が段ボール製の包装箱４（図８参照）に収納されており、使用者は、包装箱４から各部材を取り出す。
【００３４】
本実施形態においては、床板部材１０、天板部材２０、及び側板部材３０がそれぞれ長手方向に２分割されているので、まずは、前方床板部材１１、前方天板部材２１及び前方側板部材３１の組立を行う。
【００３５】
組立は、図６に示すように、前方床板部材１１を床に置き、一対の前方側板部材３１の下側嵌合部３６を前方床板部材１１の床板側嵌合溝１５に嵌合させる。前方側板部材３１の下側嵌合部３６は、３０ｍｍの板厚を有しており、床板側嵌合溝１５は板厚よりも若干狭い幅（２８〜２９ｍｍ程度）であるため、下側嵌合部３６及び床板１３が共に変形して嵌合され、両部材が強固に嵌合される。
【００３６】
さらに、この状態で、前方天板部材２１を上から嵌合させる。このとき、前方天板部材２１の天板側嵌合溝２５と、前方側板部材３１の上側嵌合部３５とを嵌合させる。これにより、図７の左側に図示されているように、角筒状に組立可能となっており、前方側のベッド本体２が形成される。後方側のベッド本体２についても、前方側と同様に組立可能であり、図７の右側に図示されているように角筒状に組み立てる。
【００３７】
次に、図７に示された状態から、前方と後方の角筒状の部材を結合して、一連のベッド本体２を組み立てる。このとき、前方側板部材３１においては、側板補助材３４の後端縁は側板本体３３の後端縁よりも内部に位置しており、後方側板部材３２は側板補助材３４が前方に突出している。また、前方床板部材１１は、床板アングル１４が床板１３の後端縁から後方に突出しており、後方床板部材１２では、床板アングル１４が床板１３の前端縁から後退している。また、前方天板部材２１と後方天板部材２２も同様の構成となっている。
【００３８】
このため、前方と後方のベッド本体２を結合したときは、後方のベッド本体２の側板本体３３から突出する側板補助材３４が、前方のベッド本体２の後端縁から内部に挿入される。また、前方床板部材１１の床板アングル１４の一部が後方床板部材１２側に延び、前方天板部材２１の天板アングル２４の一部が後方天板部材２２側に延びるため、前後のベッド本体２の結合が強固なものとなる。
【００３９】
次に、図８に示すように、ベッド本体２の前後の開口部３に、蓋部材４０を装着する。蓋部材４０には、固定部４３に３個の蓋アングル４５及び蓋嵌合溝４６が設けられており（図５参照）、この蓋嵌合溝４６にベッド本体２の各部材の端縁を嵌合させて蓋部材４０をベッド本体２に取り付ける。
【００４０】
なお、蓋部材４０の扉部４４は、図１や図８に示すように、水平方向に開閉するように蓋部材４０を取り付けることにより、使用者がベッド本体２の内部の出入りが容易となる。その後、特許文献１と同様に、包装箱４の内部に段ボールで組んだ補強部材（図示省略）を収納し、ベッド本体２の下に敷いて、包装箱４を台として使用することもできる。
【００４１】
このように、本考案の簡易ベッドルーム１によれば、一人で作業する場合であっても、各部材の大きさが小さいため、組立作業が容易となる。特に、災害時の避難所等では、作業の人手が足りないので、一人で作業をすることができる本考案の簡易ベッドルーム１が好適である。
【００４２】
また、各部材は、例えば床板部材１０と側板部材３０は、床板側嵌合溝１５と下側嵌合部３６との嵌合により連結されているので、従来の段ボールと断熱部材の結合よりも強度が高く、容易に外れることがない。
【００４３】
また、各部材は、断熱部材が、材料の全質量の５０％以上が紙パウダー及び澱粉等の植物由来の原料となっており、各アングルは紙製のアングルである。このため、本考案の簡易ベッドルーム１を使用後に処分する際にも、紙として廃棄することができる。また、焼却処分をする際にも、単位質量当たりのカロリーが低いため、焼却炉等の損傷を防止することができる。
【００４４】
なお、側板部材３０は、上記実施形態では、側板本体３３と側板補助材３４で形成し、側板本体３３の上端縁を上側嵌合部３５、下端縁を下側嵌合部３６としているが、これに限らず、側板本体３３を一部材で形成してもよい。この場合、側板本体３３を、単なる板部材としてもよく、上記実施形態の形状と同様の形状に成形したものであってもよい。
【００４５】
また、上記各嵌合溝は、嵌合される部材の板厚よりも若干狭い幅としているが、板厚と同一であってもよく、各嵌合溝の浅い部分は板厚と同一か若干広くしておき、深い部分では板厚よりも若干狭くなるように、内面をテーパ状にしてもよい。
【００４６】
また、ベッド本体２は、上記のように少なくとも２分割されていればよい。場合によっては、３分割或いは４分割とすることもできる。分割数を増やすと、各部材の大きさが小さくなるので搬送等の取り扱いが容易となる。一方で、分割数を増やすと、組立の際の手間が増えることになるため、分割数は２分割が望ましく、多くても３分割程度に止めることが望ましい。
【符号の説明】
【００４７】
１…簡易ベッドルーム、２…ベッド本体、３…開口部、４…包装箱、１０…床板部材、１１…前方床板部材、１２…後方床板部材、１３…床板、１４…床板アングル、１５…床板側嵌合溝、２０…天板部材、２１…前方天板部材、２２…後方天板部材、２３…天板、２４…天板アングル、２５…天板側嵌合溝、３０…側板部材、３１…前方側板部材、３２…後方側板部材、３３…側板本体、３４…側板補助材、３５…上側嵌合部、３６…下側嵌合部、４０…蓋部材、４１…蓋本体、４２…蓋嵌合部、４３…固定部、４４…扉部、４５…蓋アングル、４６…蓋嵌合溝。
【図１】
0003225424.tif 000003
【図２】
0003225424.tif 000004
【図３】
0003225424.tif 000005
【図４】
0003225424.tif 000006
【図５】
0003225424.tif 000007
【図６】
0003225424.tif 000008
【図７】
0003225424.tif 000009
【図８】
0003225424.tif 000010